(57)【要約】【課題】  長手方向調整と回転方向調整を個別に行なうことができ、フロアヒンジ本体の位置調整を容易に行なうことができるフロアヒンジを提供する。【解決手段】  フロアヒンジ本体２とケース３は、接続部主体６及び長手方向調整ボルト７で接続する。回転方向調整手段は、係止部材５及び接続部主体６にそれぞれ案内孔６３及び回転方向調整孔５２を設け、回転方向調整ボルト７１を挿通する。また、長手方向調整手段は、ブラケット４に長手方向調整ボルト７を挿通し、ブラケット４を挟持する挟持用ナット７２、７３を長手方向調整ボルト７に螺合する。回転方向調整ボルト７１を緩めることにより係止部材５に対して接続部主体６を短手方向に位置調整自在とする。また、前記挟持用ナット７２、７３の螺合位置を調整することにより、ケース３に対するフロアヒンジ本体２の位置を長手方向に調整する。【選択図】  図１
2006283306.tif 000002
【特許請求の範囲】
【請求項１】
フロアヒンジ本体と、
前記フロアヒンジ本体を収容するケースと、
ケースに対するフロアヒンジ本体の主軸の位置を長手方向及び主軸の回転方向に変更し、且つフロアヒンジ本体をケースに固定する本体位置調整手段と、を備えたフロアヒンジであって、
前記本体位置調整手段は、
フロアヒンジ本体の主軸側とケースの主軸側とを係合させ、フロアヒンジ本体を長手方向に移動自在に保持し、かつ、その係合位置を中心にしてフロアヒンジ本体を回転自在に保持するとともに、フロアヒンジ本体の短手方向の移動を規制する係合手段と、
フロアヒンジ本体のピストン側又はケースのピストン側の一方に設けられ、長手方向に貫通する長手方向調整孔を有するブラケットと、
フロアヒンジ本体のピストン側又はケースのピストン側の他方であって、前記ブラケットに対向する位置に設けられる係止部材と、
前記係止部材に対して後記回転方向調整手段によって接続される接続部主体と、
一端部が前記接続部主体に固定され、他端部が後記長手方向調整手段によって前記ブラケットに接続される長手方向調整ボルトと、
を有し、
前記回転方向調整手段は、係止部材及び接続部主体のうち一方に、短手方向に長い案内孔を設け、他方に回転方向調整孔を設け、前記案内孔と回転方向調整孔とに前記回転方向調整ボルトを挿通し、回転方向調整ボルトを緩めることにより係止部材に対して接続部主体を短手方向に位置調整自在とし、回転方向調整ボルトで締め付けることにより、係止部材に対して接続部主体を固定し、
前記長手方向調整手段は、ブラケットの長手方向調整孔に前記長手方向調整ボルトを挿通し、ブラケットを挟持する挟持用ナットを長手方向調整ボルトに螺合し、前記挟持用ナットの螺合位置を調整することにより、長手方向調整ボルトに対するブラケットの位置を長手方向に調整する、
ことを特徴とするフロアヒンジ。
【請求項２】
回転方向調整手段のうち、係止部材及び接続部主体の一方に設けられる、短手方向に長い案内孔が上下方向に貫通しており、係止部材及び接続部主体の他方に設けられる回転方向調整孔が上下方向に貫通していることを特徴とする請求項１に記載のフロアヒンジ。
【発明の詳細な説明】
【技術分野】
【０００１】
本発明は、フロアヒンジに関し、更に詳しくは、フロアヒンジ本体をケース内で位置調整する機構に関する。
【背景技術】
【０００２】
フロアヒンジは、建築物等の開き扉において使用され、扉本体を支持し、扉本体に閉止力を付与するものである。フロアヒンジは建築物等の床に設置される。扉本体とフロアヒンジの設置は、まず、ケースを建築物等の床面下に固定し、フロアヒンジ本体をケースに収容する。次いで、フロアヒンジ本体の主軸に扉本体を取り付けて、扉本体を吊り込む。そして、フロアヒンジ本体の位置調整を行った後、フロアヒンジ本体はケースに固定される。
【０００３】
フロアヒンジ本体の位置調整は、長手方向調整及び回転方向調整を行なう。前記長手方向調整は、フロアヒンジ本体の主軸の位置をフロアヒンジの長手方向、すなわち扉幅方向（開き扉の開口幅の方向）に前後させ、扉本体の下部を長手方向に前後させることにより、取付枠体と扉本体との間に生じる隙間を略一定にする調整である。
【０００４】
前記回転方向調整は、フロアヒンジ本体を主軸の回転方向に回転させ、扉本体を主軸の回転方向に回転させることにより、フロアヒンジの主軸が扉閉鎖位置となった状態において、扉本体が取付枠体に対して全閉されるようにする調整である。
【０００５】
従来のフロアヒンジ９の構成を図７に示す。フロアヒンジ９の主軸９３側においては、フロアヒンジ本体９１に設けた凹部９４とケース９２に設けた凸部９５とを係合させ、フロアヒンジ本体９１がその係合位置を中心にして回転できるようにしていている。フロアヒンジ９のピストン側においては、短手方向に長いスリット（図示せず）を形成した係止具９６をケース９２に固定し、調整用ボルト９７を前記スリットに通し、フロアヒンジ本体９１のネジ孔に螺合させている。前記調整用ボルト９７には調整用ナット９８を螺合させ、調整用ボルト９７と調整用ナット９８とで係止具９６を挟持している。また、フロアヒンジ本体９１の側部においては、短手固定用ボルト９９が螺合されており、短手固定用ボルト９９がケース９２の内面に当接している。
【０００６】
長手方向調整は、短手固定用ボルト９９をケース９２内面から離した上で、前記調整用ボルト９７と調整用ナット９８とを緩め、フロアヒンジ本体９１に形成されたネジ孔に対する調整用ボルト９７の螺合の深さを変化させることにより、ケース９２に対してフロアヒンジ本体９１を長手方向に移動させて位置調整を行なう。
【０００７】
また、回転方向調整は、短手固定用ボルト９９をケース９２内面から離した上で、前記調整用ボルト９７と調整用ナット９８とを緩め、調整用ボルト９７をスリットに対して短手方向にスライドさせることにより、前記凹部９４及び凸部９５との係合位置を中心としてフロアヒンジ本体９１を主軸９３の回転方向に回転させて位置調整を行なう。
【０００８】
フロアヒンジ本体９１とケース９２との固定は、前記調整用ボルト９７と調整用ナット９８とで前記係止具９６を締め付けるとともに短手固定用ボルト９９をケース９２内面に当接させて固定する（例えば、特許文献１参照。）。
【特許文献１】実用新案登録第２５９６０９５号公報
【発明の開示】
【発明が解決しようとする課題】
【０００９】
一般にフロアヒンジの長手方向調整及び回転方向調整では、前述のように、扉本体をフロアヒンジの主軸に取り付けて、吊り込んだ状態で調整を行なう必要がある。このため、フロアヒンジ本体はその位置をずらす方向の力を扉本体から受けている。
【００１０】
上記従来のフロアヒンジ９では、長手方向調整と回転方向調整を１本の調整用ボルト９７と調整用ナット９８で行うため、長手方向調整及び回転方向調整のどちらを行なう場合にも、短手固定用ボルト９９をケース９２内面から離した上で、調整用ボルト９７と調整用ナット９８とを緩める操作が必要である。この操作により、フロアヒンジ本体９１は、ケース９２に対して長手方向に移動自在となるとともに、回転自在となる。また、フロアヒンジ本体９１はその位置をずらす方向の力を扉本体から受けている。このため、フロアヒンジ本体９１は、長手方向と回転方向の両方向にずれてしまう。
【００１１】
従って、上記従来のフロアヒンジ９では、長手方向調整と、回転方向調整のいずれかだけを行なおうとしても、フロアヒンジ本体９１の長手方向の位置と、回転方向の位置とが同時に変わってしまい、その結果、長手方向調整と回転方向調整の両方を同時に行なう必要があり、フロアヒンジ本体９１の位置調整が難しい点に問題があった。
【００１２】
本発明は、前記の問題点に鑑みてなされたものであって、その目的は、長手方向調整と回転方向調整を個別に行なうことができ、フロアヒンジ本体の位置調整を容易に行なうことができるフロアヒンジを提供することにある。
【課題を解決するための手段】
【００１３】
前記目的を達成するため、請求項１に記載の発明では、
フロアヒンジ本体と、
前記フロアヒンジ本体を収容するケースと、
ケースに対するフロアヒンジ本体の主軸の位置を長手方向及び主軸の回転方向に変更し、且つフロアヒンジ本体をケースに固定する本体位置調整手段と、を備えたフロアヒンジであって、
前記本体位置調整手段は、
フロアヒンジ本体の主軸側とケースの主軸側とを係合させ、フロアヒンジ本体を長手方向に移動自在に保持し、かつ、その係合位置を中心にしてフロアヒンジ本体を回転自在に保持するとともに、フロアヒンジ本体の短手方向の移動を規制する係合手段と、
フロアヒンジ本体のピストン側又はケースのピストン側の一方に設けられ、長手方向に貫通する長手方向調整孔を有するブラケットと、
フロアヒンジ本体のピストン側又はケースのピストン側の他方であって、前記ブラケットに対向する位置に設けられる係止部材と、
前記係止部材に対して後記回転方向調整手段によって接続される接続部主体と、
一端部が前記接続部主体に固定され、他端部が後記長手方向調整手段によって前記ブラケットに接続される長手方向調整ボルトと、
を有し、
前記回転方向調整手段は、係止部材及び接続部主体のうち一方に、短手方向に長い案内孔を設け、他方に回転方向調整孔を設け、前記案内孔と回転方向調整孔とに前記回転方向調整ボルトを挿通し、回転方向調整ボルトを緩めることにより係止部材に対して接続部主体を短手方向に位置調整自在とし、回転方向調整ボルトで締め付けることにより、係止部材に対して接続部主体を固定し、
前記長手方向調整手段は、ブラケットの長手方向調整孔に前記長手方向調整ボルトを挿通し、ブラケットを挟持する挟持用ナットを長手方向調整ボルトに螺合し、前記挟持用ナットの螺合位置を調整することにより、長手方向調整ボルトに対するブラケットの位置を長手方向に調整する、
フロアヒンジとした。
【００１４】
請求項２に記載の発明では、請求項１に記載の発明において、回転方向調整手段のうち、係止部材及び接続部主体の一方に設けられる、短手方向に長い案内孔が上下方向に貫通しており、係止部材及び接続部主体の他方に設けられる回転方向調整孔が上下方向に貫通させることとした。
【００１５】
（作用）
従って、請求項１に記載の発明では、長手方向調整の場合、長手方向調整手段のうち、長手方向調整ボルトに螺合されている挟持用ナットの螺合位置を調整するだけで、長手方向調整ボルトに対するブラケットの位置を長手方向に調整することができ、長手方向調整を行なうことができる。この場合、回転方向調整手段の回転方向調整ボルトを緩める必要はなく、フロアヒンジ本体が回転方向にずれるおそれはない。
また、回転方向調整の場合、回転方向調整手段のうち、回転方向調整ボルトを緩め、係止部材に対して接続部主体を短手方向に位置調整するだけで、フロアヒンジ本体を主軸の回転方向に回転させることができ、回転方向調整を行なうことができる。この場合、長手方向調整手段の挟持用ナットの螺合位置を調整する必要はなく、フロアヒンジ本体が長手方向にずれるおそれはない。
【００１６】
請求項２に記載の発明では、係止部材及び接続部主体の一方に設けられる、短手方向に長い案内孔が上下方向に貫通しており、また、係止部材及び接続部主体の他方に設けられる回転方向調整孔が上下方向に貫通しているため、前記案内孔と回転方向調整孔とに挿通される回転方向調整ボルトは上下方向に設けられる。このため、回転方向調整ボルトの緩め操作及び締め付け操作を行なう場合に、操作に用いる工具が周囲と干渉しないなど、回転方向調整ボルトの緩め操作及び締め付け操作を容易に行なうことができる。
【発明の効果】
【００１７】
以上より、請求項１から請求項２に記載の発明によれば、長手方向調整と、回転方向調整のいずれを行なう場合にも、フロアヒンジ本体の長手方向の位置と、回転方向の位置とが同時に変わることがない。そのため、長手方向調整と、回転方向調整のいずれかだけを行なうことができ、両方を同時に行なう必要はなく、フロアヒンジ本体の位置調整が容易である。
【００１８】
請求項２に記載の発明によれば、回転方向調整ボルトの緩め操作及び締め付け操作を行なう場合に、操作に用いる工具が周囲と干渉しないなど、回転方向調整ボルトの緩め操作及び締め付け操作が容易であり、回転方向調整を容易に行なうことができる。
【発明を実施するための最良の形態】
【００１９】
本発明を具体化した実施形態について図１から図６に従って説明する。フロアヒンジ１はその長手方向が扉本体の扉幅方向（開き扉の開口幅の方向）に略一致するように設置される。フロアヒンジ１の主軸側は、フロアヒンジ１の長手方向において、主軸が設けられている側とする。フロアヒンジ１のピストン側は、フロアヒンジ１の長手方向において、ピストンが内蔵されている側とする。上下方向は、フロアヒンジ１を設置して使用状態においた場合の上下方向とする。
【実施例】
【００２０】
本発明の実施例に係るフロアヒンジ１は、フロアヒンジ本体２と、ケース３と、本体位置調整手段とを有する。
【００２１】
前記フロアヒンジ本体２について説明する。フロアヒンジ本体２は、開き扉の扉本体を支持し、扉本体に閉止力を付与する部分である。図１に示すように、フロアヒンジ本体２の一端側には、主軸２１が設けられている。主軸２１は扉本体が連結される部分であり、上方に突出している。フロアヒンジ本体２の他端側にはピストン（図示せず）が内蔵されている。主軸２１とピストンとは連動しており、扉本体を開ける動作により蓄勢して扉本体に付与する閉扉力を発生する。フロアヒンジ本体２の内部の機構は本発明の特徴部分ではないため、詳細な説明は省略する。
【００２２】
次に前記ケース３について説明する。ケース３は、建築物等の床面下に設けられ、内部にフロアヒンジ本体２を収容して固定することにより、フロアヒンジ本体２を建築物等の床面下に固定する部分である。図１、図３、図４に示すように、ケース３は、底面部３１、底面部３１の周縁部に立設される長手方向側面部３２及び短手方向側面部３３を有する。ケース３上部は開口部であり、フロアヒンジ本体２を収容して固定した後、ケース３上部の開口部を化粧プレート（図示せず）で閉塞する。
【００２３】
次に、本体位置調整手段について説明する。本体位置調整手段は、ケース３に対するフロアヒンジ本体２の主軸２１の位置を長手方向及び主軸２１の回転方向に変更し、且つフロアヒンジ本体２をケース３に固定する手段である。本体位置調整手段は、係合手段、ブラケット４、係止部材５、接続部主体６、長手方向調整ボルト７を有する。
【００２４】
前記係合手段は、フロアヒンジ本体２とケース３とを係合させる部分である。図１、図３に示すように、係合手段は、長溝部２２と突起部３４とを有する。前記長溝部２２は、フロアヒンジ本体２の下面部の主軸２１側において、フロアヒンジ本体２の長手方向に形成される。前記突起部３４は、前記長溝部２２に係合する部分であり、ケース３の底面部３１の主軸２１側に形成される。フロアヒンジ本体２の長溝部２２とケース３の突起部３４とを係合させ、フロアヒンジ本体２を長手方向に移動自在に保持し、かつ、長溝部２２と突起部３４との係合位置を中心にしてフロアヒンジ本体２を回転自在に保持する。また、長溝部２２と突起部３４とを係合させることにより、フロアヒンジ本体２の短手方向の移動を規制している。
【００２５】
前記ブラケット４は、フロアヒンジ本体２に設けられ、フロアヒンジ本体２とケース３とを接続するための部分である。図１に示すように、ブラケット４はフロアヒンジ本体２のピストン側に設けられる。ブラケット４は金属製の板状体を屈曲して、ケース３の長手方向側面部３２に対向する部分と、ケース３の短手方向側面部３３に対向する部分とが形成される。図４に示すように、短手方向側面部３３に対向する部分には、長手方向調整孔４１が設けられる。長手方向調整孔４１は後記長手方向調整ボルト７が挿通される部分である。長手方向調整孔４１は、短手方向側面部３３に対向する部分の略中央に設けられ、長手方向に貫通している。また、図１を参照して、長手方向側面部３２に対向する部分には、側部ネジ孔（図示せず）が設けられる。側部ネジ孔は後記短手固定ボルト７５が螺合する部分である。
【００２６】
前記係止部材５は、ケース３に設けられ、フロアヒンジ本体２とケース３とを接続するための部分である。図１に示すように、係止部材５はケース３のピストン側に設けられる。係止部材５は、板状体を屈曲して、ケース３の内面に沿う形状に形成される。ケース３の短手方向側面部３３に沿う部分には、係止部材副体５１が設けられる。係止部材５としての係止部材副体５１は、フロアヒンジ本体２に設けられた前記ブラケット４に対向する位置に設けられる。図４に示すように、係止部材副体５１は、係止部材５の一部をケース３の底面部３１と略平行となるように屈曲して形成しており、ブラケット４に向けて突出させた板状の部分である。
【００２７】
前記接続部主体６は、前記係止部材５としての係止部材副体５１に対して後記回転方向調整手段によって接続される部分である。図４に示すように、接続部主体６は、接続用上部６１と接続用側部６２とを有しており、接続用上部６１と接続用側部６２とで断面略Ｌ字形を形成している。前記接続用上部６１は前記係止部材５としての係止部材副体５１に係止することができる板状の部分である。前記接続用側部６２には後記長手方向調整ボルト７を挿通させて固定するためのボルト固定用孔６４が設けられている。
【００２８】
前記長手方向調整ボルト７は、一端部が前記接続部主体６に固定され、他端部が後記長手方向調整手段によって前記ブラケット４に接続される部分である。図４に示すように、長手方向調整ボルト７は、前記接続部主体６の接続用側部６２に設けられたボルト固定用孔６４に挿通させ、溶接手段によって固定される。
【００２９】
次に、前記回転方向調整手段について説明する。回転方向調整手段は、前記係止部材５としての係止部材副体５１と前記接続部主体６とを接続する手段である。図４に示すように、係止部材５としての係止部材副体５１には回転方向調整孔５２を設ける。回転方向調整孔５２には、後記回転方向調整ボルト７１と螺合する雌ネジを形成する。また、図１、図４に示すように、接続部主体６の接続用上部６１には短手方向に長い案内孔６３を設ける。回転方向調整孔５２と案内孔６３とは、ともに上下方向に貫通するように設ける。また、案内孔６３を設ける位置は、係止部材副体５１の上方に接続部主体６の接続用上部６１を重ねた状態で、案内孔６３が回転方向調整孔５２に対応する位置とする。前記案内孔６３の上方から下方に向けて回転方向調整ボルト７１を挿通し、回転方向調整ボルト７１を回転方向調整孔５２に螺合させる。回転方向調整ボルト７１を緩めると、案内孔６３が短手方向に長く形成されていることにより、係止部材副体５１に対して接続部主体６は短手方向に位置調整自在となる。回転方向調整ボルト７１を締め付けることにより、係止部材５に対して接続部主体６は固定される。
【００３０】
次に、前記長手方向調整手段について説明する。長手方向調整手段は、長手方向調整ボルト７とブラケット４とを接続する手段である。図１、図４に示すように、一端部が前記接続部主体６に固定された長手方向調整ボルト７の他端部には、第１の挟持用ナット７２を螺合する。その長手方向調整ボルト７の他端部はブラケット４の長手方向調整孔４１に挿通する。ブラケット４の長手方向調整孔４１から突出した長手方向調整ボルト７には第２の挟持用ナット７３を螺合する。第１、第２の挟持用ナット７２、７３でブラケット４を挟持した状態とし、第１、第２の挟持用ナット７２、７３の螺合位置を調整する。これにより、長手方向調整ボルト７に対するブラケット４の位置を長手方向に調整する。
【００３１】
短手固定ボルト７５は、フロアヒンジ本体２を短手方向に固定する部分である。図１に示すように、短手固定ボルト７５は、前記ブラケット４に形成された側部ネジ孔に螺合される。短手固定ボルト７５は、前記係止部材５のうち、ケース３の長手方向側面部３２に沿う部分に当接している。短手固定ボルト７５の突出長さの変更は、短手固定ボルト７５を正逆に回転させることにより行なう。
【００３２】
次に、本実施例に係るフロアヒンジ１について、フロアヒンジ本体２の位置調整を説明する。
【００３３】
まず、長手方向調整について説明する。長手方向調整は、図１の状態から、フロアヒンジ本体２の主軸２１の位置をフロアヒンジ１の長手方向に前後させて調整を行なう。短手固定ボルト７５は、前記係止部材５のうち、ケース３の長手方向側面部３２に沿う部分に当接した状態であり、短手固定ボルト７５を深くねじ込むことによって、係止部材５に当接している状態から離間させる。
【００３４】
長手方向調整ボルト７に螺合され、ブラケット４を挟持した状態の第１、第２の挟持用ナット７２、７３の螺合位置を調整する。これにより、ケース３に対するフロアヒンジ本体２の長手方向の位置を調整できるため、フロアヒンジ本体２の主軸２１の位置が適切な位置となるように、フロアヒンジ本体２を長手方向に前後させて調整を行なう。
【００３５】
前記第１、第２の挟持用ナット７２、７３の螺合位置を調整して長手方向調整を行なった後、フロアヒンジ本体２をケース３に対して固定する。第１、第２の挟持用ナット７２、７３でブラケット４を締め付けることにより、ケース３に対するフロアヒンジ本体２の長手方向の移動は阻止される。また、短手固定ボルト７５を、前記係止部材５のうち、ケース３の長手方向側面部３２に沿う部分に当接した状態に戻す。
【００３６】
次に、回転方向調整について説明する。回転方向調整は、図１の状態から、フロアヒンジ本体２を主軸２１の回転方向に回転させて調整を行なう。短手固定ボルト７５は、前記係止部材５のうち、ケース３の長手方向側面部３２に沿う部分に当接した状態であり、フロアヒンジ本体２を短手方向に移動調整させる側の短手固定ボルト７５を深くねじ込んで、係止部材５に当接している状態から離間させる。
【００３７】
回転方向調整ボルト７１を緩めると、接続部主体６の案内孔６３が短手方向に長く形成されていることにより、図２に示すように、係止部材副体５１に対して接続部主体６は短手方向に位置調整自在となる。接続部主体６は長手方向調整ボルト７を介してフロアヒンジ本体２と接続されているため、フロアヒンジ本体２のピストン側を短手方向に移動させることができる。また、フロアヒンジ本体２の主軸２１側において、フロアヒンジ本体２の長溝部２２とケース３の突起部３４とを係合させているため、フロアヒンジ本体２のピストン側を短手方向に移動させることにより、フロアヒンジ本体２は主軸２１の回転方向に回転する。フロアヒンジ本体２を回転させることにより、フロアヒンジ本体２の主軸２１の位置が適切な位置となるように調整を行なう。
【００３８】
回転方向調整ボルト７１を緩めて回転方向調整を行なった後、フロアヒンジ本体２をケース３に対して固定する。回転方向調整ボルト７１を締め付けることにより、係止部材５に対して接続部主体６は固定され、ケース３に対するフロアヒンジ本体２の短手方向の移動は阻止される。また、短手固定ボルト７５を、前記係止部材５のうち、ケース３の長手方向側面部３２に沿う部分に当接した状態に戻す。
【００３９】
実施例に係るフロアヒンジ１によれば、以下の効果を有する。
【００４０】
長手方向調整の場合、長手方向調整手段のうち、長手方向調整ボルト７に螺合されている第１、第２の挟持用ナット７２、７３の螺合位置を調整するだけで、長手方向調整ボルト７に対するブラケット４の位置を長手方向に調整することができ、長手方向調整を行なうことができる。この場合、回転方向調整手段の回転方向調整ボルト７１を緩める必要はない。このため、フロアヒンジ本体２の回転方向の位置は変わらない。従って、長手方向調整だけを行なうことができ、両方を同時に行なう必要はなく、フロアヒンジ本体２の位置調整が容易である。
【００４１】
回転方向調整の場合、回転方向調整手段のうち、回転方向調整ボルト７１を緩め、係止部材５に対して接続部主体６を短手方向に位置調整するだけで、フロアヒンジ本体２を主軸２１の回転方向に回転させることができ、回転方向調整を行なうことができる。この場合、長手方向調整手段の第１、第２の挟持用ナット７２、７３を緩める必要はない。このため、フロアヒンジ本体２の長手方向の位置は変わらない。従って、回転方向調整だけを行なうことができ、両方を同時に行なう必要はなく、フロアヒンジ本体２の位置調整が容易である。
【００４２】
接続部主体６に設けた案内孔６３が上下方向に貫通しており、係止部材５としての係止部材副体５１に設けた回転方向調整孔５２が上下方向に貫通しているため、前記案内孔６３と回転方向調整孔５２とに挿通される回転方向調整ボルト７１は上下方向に設けられる。このため、回転方向調整ボルト７１の緩め操作及び締め付け操作を行なう場合に、操作に用いる工具が周囲と干渉しないなど、回転方向調整ボルト７１の緩め操作及び締め付け操作が容易であり、回転方向調整を容易に行なうことができる。
【００４３】
尚、実施の形態は上記に限定されるものではなく、例えば、次のように変更してもよい。
【００４４】
フロアヒンジ本体２にブラケット４を設け、ケース３に係止部材５を設けたが、図６にしめすように、フロアヒンジ本体２に係止部材５を設け、ケース３にブラケット４を設けてもよい。
【００４５】
回転方向調整手段の接続部主体６に設けた、短手方向に長い案内孔６３は、円弧状に湾曲させて形状としてもよい。円弧の曲率半径は、ケース３に形成した突起部３４から案内孔６３までの略距離と等しくすれば、フロアヒンジ本体２の回転方向調整がより円滑になり好ましい。
【００４６】
係止部材５と接続部主体６とを締め付ける手段は、回転方向調整孔５２に雌ネジを形成し、回転方向調整孔５２に回転方向調整ボルト７１を螺合させて係止部材５と接続部主体６とを締め付ける手段のほか、図５に示すように、回転方向調整孔５２には雌ネジを形成せず、回転方向調整ボルト７１に固定用ナット７４を螺合させて締め付けるようにしてもよい。
【００４７】
図５に示すように、回転方向調整孔５２には雌ネジを形成せず、回転方向調整ボルト７１に固定用ナット７４を螺合させて締め付けるようにした場合、係止部材５としての係止部材副体５１に案内孔６３を設け、接続部主体６に回転方向調整孔５２を設けてもよい。
【図面の簡単な説明】
【００４８】
【図１】本発明の実施例に係るフロアヒンジ１の平面簡略図である。
【図２】回転方向調整を行なった状態のフロアヒンジ１の平面簡略図である。
【図３】図１のＡ―Ａ線における端面簡略図である。
【図４】図１のＢ―Ｂ線における端面簡略図である。
【図５】図１のＢ―Ｂ線に対応する位置で切断した、他の例に係るフロアヒンジ１の端面簡略図である。
【図６】他の例に係るフロアヒンジ１の平面簡略図である。
【図７】従来のフロアヒンジ９の平面簡略図である。
【符号の説明】
【００４９】
１      フロアヒンジ
２      フロアヒンジ本体
２１    主軸
２２    長溝部
３      ケース
３１    底面部
３２    長手方向側面部
３３    短手方向側面部
３４    突起部
４      ブラケット
４１    長手方向調整孔
５      係止部材
５１    係止部材としての係止部材副体
５２    回転方向調整孔
６      接続部主体
６１    接続用上部
６２    接続用側部
６３    案内孔
６４    ボルト固定用孔
７      長手方向調整ボルト
７１    回転方向調整ボルト
７２    第１の挟持用ナット
７３    第２の挟持用ナット
７４    固定用ナット
７５    短手固定ボルト
９      従来のフロアヒンジ
９１    フロアヒンジ本体
９２    ケース
９３    主軸
９４    凹部
９５    凸部
９６    係止具
９７    調整用ボルト
９８    調整用ナット
９９    短手固定用ボルト
【図１】
2006283306.tif 000003
【図２】
2006283306.tif 000004
【図３】
2006283306.tif 000005
【図４】
2006283306.tif 000006
【図５】
2006283306.tif 000007
【図６】
2006283306.tif 000008
【図７】
2006283306.tif 000009